(57)【要約】      （修正有）【課題】心理的、生理的にストレスを与えることのないゆっくり揺れる振り子時計構造を提供する。【解決手段】数字盤１、ムーブメントセットと振り子装置を備えてなり、ムーブメントセットは数字盤の裏面に設置され、ムーブメントセットと振り子装置は可動で、接続しており、ムーブメントセットの下方には振り子装置の円筒部３２と結合して、振り玉機構３４が移動する支点として設置された固定装置２１があり、振り子本体３１における円筒部下側には、振り玉機構と連結するための突出部３３が設けられている。振り子装置の円筒部をムーブメントセットの下方に設けて、振り玉機構が揺れる支点位置を下げ、調整ブロックの位置、重量を調整することにより、ゆっくりと揺れるように調整できる。【選択図】図２
0003198877.tif 000002
【実用新案登録請求の範囲】
【請求項１】
数字盤とムーブメントセットと振り子装置を備えてなり、
該ムーブメントセットは該数字盤の裏面に設置し、
該ムーブメントセットと振り子装置とは可動で、接続しており、
該ムーブメントセットの上方には、振り子装置のヘッド部を揺動させるコイル装置、その下方には振り子装置の円筒部と結合して、振り玉機構が移動する支点として設置される固定装置があり、
該振り子装置の振り子本体における円筒部下側には、振り玉機構と連結するための突出部が設けられている
ことを特徴とするゆっくり揺れる振り子時計構造。
【請求項２】
該固定装置は、係合突出部と第一突出物と固定プレートを備えてなり、
該係合突出部は隙間を開けて固定装置に隣接し、その端部に係合穴があり、該第一突出物は該固定装置の適当な所に設けられている
ことを特徴とする請求項１に記載のゆっくり揺れる振り子時計構造。
【請求項３】
該振り子本体は長い棒で、そのヘッド部に近い所には更に、第一おもり、第二おもり、その適当な所に円筒部が設けられており、
該円筒部の両端には更に、同軸の嵌入穴があり、固定装置の第一突出物を該円筒部の片側の嵌入穴に嵌め入れ、該固定プレートの該第二突出物を他方側に嵌め込み、振り子本体の位置移動を制御し、揺動の支点として設けられている
ことを特徴とする請求項１に記載のゆっくり揺れる振り子時計構造。
【請求項４】
該振り玉機構は、振り玉台と調整装置を備えてなり、該振り玉台の縦向きには第一接続穴、横向きには第二接続穴があり、該調整装置は主に、調整棒と調整ブロックを備えてなり、該調整棒の中央部に近い所には中心軸孔があり、固定ねじが該中心軸孔と該第二接続穴を通って、ナットに固定接続され、該調整ブロックはねじ穴を有し、該調整棒の両側に設置されており、該ねじ穴を通じて、固定、調整されるように設けられて
いることを特徴とする請求項１に記載のゆっくり揺れる振り子時計構造。
【請求項５】
該ムーブメントセットの適当な位置には更に、パワーサプライが設けられる
ことを特徴とする請求項１に記載のゆっくり揺れる振り子時計構造。
【請求項６】
該振り玉台の他方側には更に、装飾ユニットが設けられる
ことを特徴とする請求項１に記載のゆっくり揺れる振り子時計構造。
【請求項７】
調整棒両側にある調整ブロックの数量は、使用ニーズに応じて増減できるように設けられている
ことを特徴とする請求項４に記載のゆっくり揺れる振り子時計構造。
【請求項８】
該第一おもりは、積載重量ニーズに応じて増減可能な金属プレートである
ことを特徴とする請求項３に記載のゆっくり揺れる振り子時計構造。
【請求項９】
該第二おもりは、積載重量ニーズに応じて、位置移動の調整や数量の増減も可能である
ことを特徴とする請求項３に記載のゆっくり揺れる振り子時計構造。
【請求項１０】
振り玉機構の適当な所には、縦向きの調整ブロックを増設してもよい
ことを特徴とする請求項１に記載のゆっくり揺れる振り子時計構造。
【考案の詳細な説明】
【技術分野】
【０００１】
本考案は掛け時計に関わり、特にゆっくりと揺れる振り子を備えた壁掛け時計に関する。  
【背景技術】
【０００２】
振り子装置は安定して揺動するように設置されており、振り子が左右に一回揺動する時間を周期といい、振り子は長さが同じである場合、振れ幅を変えても、周期が変わらないものであり、それが振り子の等時性であり、上述したような振り子は多く機械式時計に応用されている。
【考案の開示】
【考案が解決しようとする課題】
【０００３】
現在一般的に市販の振り子装置を備えた掛け時計における該振り子部分とムーブメントとの動きがつながらない原因で、該振り子は飾りに使用されるのが多く見られる。しかし、揺れるスピードが速く、振り子が素早く揺れていると思われてしまい、不安や緊張など心理的、生理的にマイナスな影響やストレスを感じさせられるのが、改善すべき点である。
【０００４】
それを鑑みて、本考案者は関連業界の開発や製造に携わる長年の経験で、現在の直面する問題点について深く研究、長い間に亙り、その開発や試作に取り組んだところ、ようやく、ゆっくり揺れる振り子時計構造を開発して、従来技術の欠点を大幅に改善することができることが、本考案の設計目的である。
【０００５】
本考案は時計（掛け時計）に関わり、特に振り子装置を備えた置き時計や掛け時計構造を提供することを目的とする。
【課題を解決するための手段】
【０００６】
上述した目的を達成させるため、本考案は数字盤、ムーブメントセットと振り子装置を備えてなり、該ムーブメントセットは該数字盤の裏面に設置、該ムーブメントセットと振り子装置は可動で、接続しており、該ムーブメントセットの上方には、振り子装置のヘッド部を揺動させるコイル装置が設置され、その下方には振り子装置の円筒部と結合して、振り玉機構が移動する支点として設置される固定装置があり、該振り子装置の振り子本体における円筒部下側には、振り玉機構と連結するための突出部が設けられており、即ち、振り子装置の円筒部をムーブメントセットの下方に設けて、振り玉機構が揺れる支点位置を下げられ、そして、振り子装置の上方にあるおもり及びその下方にある調整ブロックの位置、重量を調整すると、本考案の振り子装置が調整可能で、左右にバランスよく、ゆっくりと揺れるように設けられることを特徴とするゆっくり揺れる振り子時計構造を提供する。
【０００７】
上述した本考案の目的と長所について、次に取り上げられた実施例に関する詳細な説明と図面により、深く理解されると思われる。
本考案は他の案件や、他の案件への配置には若干異なる場合があるのはもちろんのことだが、本明細書に取り上げられる実施例に関しては詳しく説明、図面を添えて、その構造を示す。  
【図面の簡単な説明】
【０００８】
【図１】本考案のゆっくり揺れる振り子時計構造の立体図。
【図２】本考案のゆっくり揺れる振り子時計構造の立体分解図。
【図３】本考案のゆっくり揺れる振り子時計構造の立体分解図。
【図４】本考案のゆっくり揺れる振り子時計構造の立体図。
【図５】本考案のゆっくり揺れる振り子時計構造の立体図。
【図６】本考案のゆっくり揺れる振り子時計構造図。
【図７】本考案のゆっくり揺れる振り子時計構造の実施例の図。
【図８】本考案のゆっくり揺れる振り子時計構造の実施例の図。
【図９】本考案のゆっくり揺れる振り子時計構造の断面図。
【図１０】本考案のゆっくり揺れる振り子時計構造に関するもう一つの好適な実施例の図。
【考案を実施するための形態】
【０００９】
上述した本考案の目的を達成させるための技術手段として、次のように、図面と共に実施形態を取り上げて詳しく説明し、深く理解して認められればと存じるが、図面として、図１は本考案のゆっくり揺れる振り子時計構造の立体図、図２は本考案のゆっくり揺れる振り子時計構造の立体分解図、図３は本考案のゆっくり揺れる振り子時計構造の立体分解図、図４は本考案のゆっくり揺れる振り子時計構造の立体図、図５は本考案のゆっくり揺れる振り子時計構造の立体図、図６は本考案のゆっくり揺れる振り子時計構造図、図７は本考案のゆっくり揺れる振り子時計構造の実施例の図、図８は本考案のゆっくり揺れる振り子時計構造の実施例の図、図９は本考案のゆっくり揺れる振り子時計構造の断面図、図１０は本考案のゆっくり揺れる振り子時計構造に関するもう一つの好適な実施例の図である。  
【００１０】
図１〜図９は本考案の実施形態であり、本考案は数字盤１、ムーブメントセット２と振り子装置３を備えてなり、該ムーブメントセット２は該数字盤１の裏面に設置、該ムーブメントセット２と振り子装置３とは可動で、接続しており、該ムーブメントセット２の上方には、振り子装置のヘッド部を揺動させるコイル装置２０、その下方には、振り子装置３の円筒部３２と結合して、振り玉機構３４が移動する支点として設置される固定装置２１があり、該振り子装置３の振り子本体３１の円筒部３２下側には、振り玉機構３４と連結するための突出部３３が設けられており、該固定装置２１は、係合突出部２１１、第一突出物２１２と固定プレート２２を備えてなり、該係合突出部２１１は隙間を開けて固定装置２１に隣接し、その端部に係合穴２１３があり、該第一突出物２１２は固定装置２１の適当な所に設けられていることを特徴とするゆっくり揺れる振り子時計構造を提供する。
【００１１】
また、該振り子装置３の振り子本体３１は長い棒で、その適当な所に円筒部３２が設けられ、該円筒部３２の両端には更に、同軸の嵌入穴３２１があり、固定装置２１の第一突出物２１２を該円筒部３２の片側の嵌入穴３２１に嵌め入れ、該固定プレート２２の第二突出物２２１を他方側に嵌め込めれば、振り子本体３１の位置移動を制御し、揺動の支点として設けられる。
【００１２】
該振り子装置３は、ムーブメントセット２と接続しており、該振り子装置３の振り子本体３１のヘッド部３１２には更に、第一おもり３５、第二おもり３６、複数の第一係合穴３１１、複数の第二係合穴３３１、振り玉台３４１、調整棒３４５と複数の調整ブロック３４６を備えてなり、該振り子本体３１の適当な所に円筒部３２が設けられ、該円筒部３２内には更に嵌入穴３２１があり、該振り子本体３１の先端にはヘッド部３１２があり、該ヘッド部３１２には、磁気ユニット３５１と第一おもり３５を入れるための開放式収納空間があり、第二おもり３６はコ字形に設けられ、該第二おもり３６には、接続ユニット３６２が通る通し穴部３６１と複数の第一係合穴３１１が設けられ、該振り玉機構３４は主に、振り玉台３４１と調整装置３４２を備えてなり、該振り玉台３４１の縦向きには第一接続穴３４３があり、接続ユニット４が第一接続穴３４３と第二係合穴３３１を通って固定接続されており、その横向きには第二接続穴３４４があり、それに、該調整装置３４２は主に、調整棒３４５と調整ブロック３４６を備えてなり、該調整棒３４５の中央部に近い所には中心軸孔３４７があり、固定ねじ３４８が中心軸孔３４７を第二接続穴３４４を通って、ナット３４９に固定接続されており、その上、図６に示すように、該調整ブロック３４６は、貫通されるねじ穴３５０があり、該調整棒３４５の両側に設けられ、その前進後退によって、Ａ，Ｂのギャップを変え、振り子装置３の揺れ幅への調整に設けられており、調整棒３４５の両側にある調整ブロック３４６の数量は、使用ニーズに応じて増減可能、該第一おもり３５は複数の金属プレート３５２からなるもので、積載重量ニーズに応じて、金属プレート数の増減が可能なことをここで説明しておき、第二おもり３６は積載重量ニーズに応じて、位置移動の調整や数量の増減も可能である。  
【００１３】
該ムーブメントセット２の適当な所には更に、パワーサプライ２３を設けてもよいが、該パワーサプライ２３は、よくある市販品の電池でもよい。  
最後だが、該振り子装置３の他方側には更に、装飾ユニット３７を設けてもよく、そうすると、本考案の見た目のよさを目立たせることができるだろう。
【００１４】
図１０は、本考案のもう一つの好適な実施例であり、該振り玉機構３４の振り玉台３４１の適当な所にも、重量使用量ニーズに応じるために、縦向きの一調整ブロック３４６を設けてもよい。  
上述された実施形態は、本考案を制限するものではなく、本考案を説明するために掲示されたものであり、数値の変更やそれと同等な効果を有するユニットへの置き換えを行っても、本考案の請求範囲に属するものとする。  
【００１５】
以上の詳細な説明を見て、この分野が分かる者には、本考案では、上述した目的を達成させることができることを理解していただけると思われ、実用新案登録法の規定に適合するもので、実用新案登録出願を行わせていただくものである。  
【符号の説明】
【００１６】
１      数字盤
２      ムーブメントセット
３      振り子装置
４      接続ユニット
２０    コイル装置
２１    固定装置
２２    固定プレート
２３    パワーサプライ
３１    振り子本体
３２    円筒部
３３    突出部
３４    振り玉機構
３５    第一おもり
３６    第二おもり
３７    装飾ユニット
２１１  係合突出部
２１２  第一突出物
２１３  係合穴
２２１  第二突出物
３１１    第一係合穴
３１２    ヘッド部
３２１    嵌入穴
３３１    第二係合穴
３４１    振り玉台
３４２    調整装置
３４３    第一接続穴
３４４    第二接続穴
３４６    調整ブロック
３４９    ナット
３４７    中心軸孔
３４８    固定ねじ
３５０    ねじ穴
３５１    磁気ユニット
３５２    金属プレート
【図１】
0003198877.tif 000003
【図２】
0003198877.tif 000004
【図３】
0003198877.tif 000005
【図４】
0003198877.tif 000006
【図５】
0003198877.tif 000007
【図６】
0003198877.tif 000008
【図７】
0003198877.tif 000009
【図８】
0003198877.tif 000010
【図９】
0003198877.tif 000011
【図１０】
0003198877.tif 000012
【手続補正書】
【提出日】平成27年5月22日(2015.5.22)
【手続補正１】
【補正対象書類名】実用新案登録請求の範囲
【補正対象項目名】全文
【補正方法】変更
【補正の内容】
【実用新案登録請求の範囲】
【請求項１】
数字盤とムーブメントセットと振り子装置を備えてなり、
該ムーブメントセットは該数字盤の裏面に設置し、
該ムーブメントセットと振り子装置とは可動で、接続しており、
該ムーブメントセットの上方には、振り子装置のヘッド部を揺動させるコイル装置、その下方には振り子装置の円筒部と結合して、振り玉機構が移動する支点として設置される固定装置があり、
該振り子装置の振り子本体における円筒部下側には、振り玉機構と連結するための突出部が設けられている
ことを特徴とするゆっくり揺れる振り子時計構造。
【請求項２】
請求項１に記載のゆっくり揺れる振り子時計構造において、
該固定装置は、係合突出部と第一突出物と固定プレートを備えてなり、
該係合突出部は隙間を開けて固定装置に隣接し、その端部に係合穴があり、該第一突出物は該固定装置の適当な所に設けられている
ことを特徴とするゆっくり揺れる振り子時計構造。
【請求項３】
請求項２に記載のゆっくり揺れる振り子時計構造において、
該振り子本体は長い棒で、そのヘッド部に近い所には更に、第一おもり、第二おもり、その適当な所に円筒部が設けられており、
該円筒部の両端には更に、同軸の嵌入穴があり、固定装置の第一突出物を該円筒部の片側の嵌入穴に嵌め入れ、該固定プレートの該第二突出物を他方側に嵌め込み、振り子本体の位置移動を制御し、揺動の支点として設けられている
ことを特徴とするゆっくり揺れる振り子時計構造。
【請求項４】
請求項１に記載のゆっくり揺れる振り子時計構造において、
該振り玉機構は、振り玉台と調整装置を備えてなり、該振り玉台の縦向きには第一接続穴、横向きには第二接続穴があり、該調整装置は主に、調整棒と調整ブロックを備えてなり、該調整棒の中央部に近い所には中心軸孔があり、固定ねじが該中心軸孔と該第二接続穴を通って、ナットに固定接続され、該調整ブロックはねじ穴を有し、該調整棒の両側に設置されており、該ねじ穴を通じて、固定、調整されるように設けられて
いることを特徴とするゆっくり揺れる振り子時計構造。
【請求項５】
請求項１に記載のゆっくり揺れる振り子時計構造において、
該ムーブメントセットの適当な位置には更に、パワーサプライが設けられる
ことを特徴とするゆっくり揺れる振り子時計構造。
【請求項６】
請求項４に記載のゆっくり揺れる振り子時計構造において、
該振り玉台の他方側には更に、装飾ユニットが設けられる
ことを特徴とするゆっくり揺れる振り子時計構造。
【請求項７】
請求項４に記載のゆっくり揺れる振り子時計構造において、
調整棒両側にある調整ブロックの数量は、使用ニーズに応じて増減できるように設けられている
ことを特徴とするゆっくり揺れる振り子時計構造。
【請求項８】
請求項３に記載のゆっくり揺れる振り子時計構造において、
該第一おもりは、積載重量ニーズに応じて増減可能な金属プレートである
ことを特徴とするゆっくり揺れる振り子時計構造。